【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
太陽電池モジュールの複数の出力電極に１対１に対応して接続される複数の端子板と、前記複数の端子板のうち少なくとも一対の端子板の間に配設・接続された整流素子を有し、前記太陽電池モジュールと外部接続用ケーブルを中継する太陽電池モジュール用端子ボックスであって、
前記整流素子は、リードフレームとダイオードチップを含み、前記ダイオードチップは、平板状のＰ型半導体に平板状のＮ型半導体を接合した平板状であり、前記リードフレームは導電性を有する平板状であり、前記リードフレームの上面と前記ダイオードチップの前記Ｎ型半導体の電極が接触して配置されていて、前記ダイオードチップの上面と側面が樹脂により被覆されている半被覆ダイオードが、複数個互いに離隔して並列に接続されたものであり、
前記半被覆ダイオードの前記リードフレーム下面の少なくとも一部分は、前記端子板と接触している太陽電池モジュール用端子ボックスにおいて、
前記一対の端子板は、前記整流素子を配設する箇所で、突出部と切り込み部が形成され、互いに、前記突出部と切り込み部がかみ合い状態で配置されていて、
前記半被覆ダイオードは、前記Ｐ型半導体の電極から延設されるＰ側リード端子と、前記Ｎ型半導体の電極から前記リードフレームを介して延設されるＮ側リード端子を有し、
前記Ｐ側リード端子と前記Ｎ側リード端子が、前記一対の端子板の、互いに近接する、一方端子板の前記突出部と他方端子板の前記突出部に接続されていることを特徴とする太陽電池モジュール用端子ボックス。
【請求項２】
請求項１に記載した太陽電池モジュール用端子ボックスにおいて、
前記複数の端子板をｎ（ｎは３以上の正の整数）個有し、前記ｎ個の端子板は外部接続ケーブルが接続される２個の外部接続端子板と、（ｎ−２）個の中間端子板からなり、
前記（ｎ−２）個の中間端子板には、前記複数個の半被覆ダイオードが配設・接続されていて、
前記複数の半被覆ダイオードは各々単一の前記ダイオードチップからなり、
前記中間端子板の平面面積をＱｍｍ２、前記半被覆ダイオードを構成する前記単一のダイオードチップの平面面積Ｒｍｍ２が式（１）の関係を満足することを特徴とする太陽電池モジュール用端子ボックス。
Ｑ≧５０Ｒ          式（１）
【請求項３】
太陽電池システムにおいて、
太陽電池モジュールと、請求項１乃至２いずれかに記載の太陽電池モジュール用端子ボックスを含む太陽電池システム。
【手続補正２】
【補正対象書類名】明細書
【補正対象項目名】００１３
【補正方法】変更
【補正の内容】
【００１３】
本発明の一の態様にかかる太陽電池モジュール用端子ボックスは、太陽電池モジュールの複数の出力電極に１対１に対応して接続される複数の端子板と、前記複数の端子板のうち少なくとも一対の端子板の間に配設・接続された整流素子を有し、前記太陽電池モジュールと外部接続用ケーブルを中継する太陽電池モジュール用端子ボックスにおいて、前記整流素子は、リードフレームとダイオードチップを含み、前記ダイオードチップは、平板状のＰ型半導体に平板状のＮ型半導体を接合した平板状であり、前記リードフレームは導電性を有する平板状であり、前記リードフレームの上面と前記ダイオードチップの前記Ｎ型半導体の電極が接触して配置されていて、前記ダイオードチップの上面と側面が樹脂により被覆されている半被覆ダイオードが、複数個互いに離隔して並列に接続されたものであり、前記半被覆ダイオードの前記リードフレーム下面の少なくとも一部分は、前記端子板と接触している。
さらに、当該太陽電池モジュール用端子ボックスにあっては、前記一対の端子板は、前記整流素子を配設する箇所で、突出部と切り込み部が形成され、互いに、前記突出部と切り込み部がかみ合い状態で配置されていて、前記半被覆ダイオードは、前記Ｐ型半導体の電極から延設されるＰ側リード端子と、前記Ｎ型半導体の電極から前記リードフレームを介して延設されるＮ側リード端子を有し、前記Ｐ側リード端子と前記Ｎ側リード端子が、前記一対の端子板の、互いに近接する、一方端子板の前記突出部と他方端子板の前記突出部に接続されている。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１９
【補正方法】変更
【補正の内容】
【００１９】
本好ましい実施態様にあっては、中間端子板の平面面積を一定値以上とした。中間端子板は、外部接続ケーブルを伝達して放熱が行われる外部接続端子板と異なり、一層、環境への放熱を促進する必要がある。本好ましい実施態様にあっては、平面面積を一定値以上とすることにより、中間端子板の放熱が一層促進される太陽電池モジュール用端子ボックスとなる。
本発明の好ましい実施態様にかかる太陽電池モジュール用端子ボックスは、前記複数個の半被覆ダイオードの個数が２個であり、前記２個の半被覆ダイオードは電気設計、形状設計が等しく、前記半被覆ダイオードが、互いに１ｍｍ以上、６ｍｍ以下の間隔で配置されていてもよい。
本好ましい実施態様にあっては、２個の、同様に製作された半被覆ダイオードが近接して配置されている。並列接続された複数の半被覆ダイオードに流れる電流値は、個々の半被覆ダイオードが置かれる環境、特に温度環境によって変動する。２個の、同様に製作された半被覆ダイオードを近接して配置したので、温度環境などが略等しくなる結果、並列接続された２個の半被覆ダイオード個々に流れる電流値が、略等しくなり、ダイオードの発熱が一層抑制される太陽電池モジュール用端子ボックスとなる。
【手続補正８】
【補正対象書類名】明細書
【補正対象項目名】００２２
【補正方法】変更
【補正の内容】
【００２２】
本発明にかかる太陽電池モジュール用端子ボックスは、他の構成要件とともに、一対の端子板がかみ合い状態で配置されているので、半被覆ダイオードのリード端子を短くすることができ、同時に、端子ボックスの平面面積を小さく、ひいては、端子ボックスの内容積を一層小さくすることができる太陽電池モジュール用端子ボックスとなる。同時に、例えば、シリコン樹脂の充填など端子ボックスの防水対策に必要な費用の一層の低減を図ることができる太陽電池モジュール用端子ボックスとなる。また、半被覆ダイオードがＰ側リード端子とＮ側リード端子を有し、当該２つのリード端子が端子板と接続されるので、半被覆ダイオードの取り付け作業が容易化される。
また、本発明にかかる太陽電池モジュール用端子ボックスは、単一の整流素子配設位置に、複数個の半被覆ダイオードを配設・接続したので、個々の半被覆ダイオードに流れる電流が小さくなり、ダイオードの発熱が抑制される太陽電池モジュール用端子ボックスとなる。また、本発明は、リードフレームを備える半被覆ダイオードを使用したので、リードフレームにより放熱が促進され、同時に、端子ボックスの内容積が不必要に増大することのない太陽電池モジュール用端子ボックスとなる。さらに、本発明は、半被覆ダイオードを使用するので、ダイオード中の接続構造が被覆により機械的変形や衝撃から保護されており、組み立て加工が容易となり、また、信頼性が向上した太陽電池モジュール用端子ボックスとなる。同時に、半被覆ダイオードのリードフレームが端子板と熱的に接触しているので、ダイオードで発する熱がリードフレームを介して端子板に伝導され放熱される。